【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
組織部位を治療するためのシステムにおいて、
前記組織部位に隣接して配置されるように適合されたマニホールドと；
前記組織部位および前記マニホールドを覆って、前記組織部位において流体シールをもたらすように適合されたシール部材と；
前記マニホールドと前記シール部材との間に位置決めされるように適合されたパウチであって、
親水性側面および疎水性側面を有する上流層、
親水性側面および疎水性側面を有する下流層、ならびに
前記上流層と前記下流層との間に囲まれた吸収部材であって、前記上流層の前記親水性側面は、前記吸収部材に対面して位置決めされ、および前記下流層の前記親水性側面は、前記吸収部材に対面して位置決めされている、吸収部材
を含む、パウチと；
前記シール部材を通して前記マニホールドと流体連通して位置決めされるように適合された減圧源と
を含むことを特徴とする、システム。
【請求項２】
請求項１に記載のシステムにおいて、前記上流層が第１の厚さを有し、および前記下流層が第２の厚さを有し、前記第２の厚さは前記第１の厚さを上回ることを特徴とする、システム。
【請求項３】
請求項１に記載のシステムにおいて、前記上流層の物質密度が約８０ｇｓｍであることを特徴とする、システム。
【請求項４】
請求項１に記載のシステムにおいて、前記下流層の物質密度が約１５０ｇｓｍであることを特徴とする、システム。
【請求項５】
請求項１に記載のシステムにおいて、さらに、前記上流層と前記組織部位との間に位置決めされるように適合された非接着層を含むことを特徴とする、システム。
【請求項６】
請求項５に記載のシステムにおいて、前記非接着層が、穴あきシリコーンシートを含むことを特徴とする、システム。
【請求項７】
請求項６に記載のシステムにおいて、前記穴あきシリコーンシートが、前記組織部位に対面するように適合されたアクリル接着剤によってパターンコーティングされていることを特徴とする、システム。
【請求項８】
請求項１に記載のシステムにおいて、さらに、前記シール部材に結合されかつ前記減圧源を前記マニホールドに流体的に結合するように適合されたコネクタを含むことを特徴とする、システム。
【請求項９】
請求項８に記載のシステムにおいて、さらに、前記減圧源と前記コネクタとの間で流体的に結合されたチューブを含むことを特徴とする、システム。
【請求項１０】
請求項１に記載のシステムにおいて、前記上流層の前記親水性側面が、前記上流層の前記疎水性側面と対向しており、および前記下流層の前記親水性側面が、前記下流層の前記疎水性側面と対向していることを特徴とする、システム。
【請求項１１】
請求項１に記載のシステムにおいて、前記下流層が、前記吸収部材と前記シール部材との間に位置決めされるように適合されていることを特徴とする、システム。
【請求項１２】
請求項１に記載のシステムにおいて、前記上流層および前記下流層が、それぞれ、前記吸収部材を越えて延在する周辺部分を含み、前記上流層の前記周辺部分が、前記下流層の前記周辺部分に結合され、かつ前記吸収部材を封入していることを特徴とする、システム。
【請求項１３】
請求項１に記載のシステムにおいて、前記シール部材が前記下流層に結合されていることを特徴とする、システム。
【請求項１４】
請求項１に記載のシステムにおいて、前記上流層の前記疎水性側面および前記下流層の前記疎水性側面が、前記パウチの外面の少なくとも一部分を画成し、前記パウチの前記外面は、前記流体が前記吸収部材によって吸収される前に、流体を前記外面に沿って横方向に分配するように適合されていることを特徴とする、システム。
【請求項１５】
請求項１に記載のシステムにおいて、前記上流層が、前記吸収部材と前記マニホールドとの間に位置決めされるように適合されていることを特徴とする、システム。
【請求項１６】
組織部位から流体を収集するための装置において、前記装置は、
親水性側面および疎水性側面を有する上流層と；
親水性側面および疎水性側面を有する下流層と；
前記上流層と前記下流層との間に位置決めされた吸収部材であって、前記上流層の前記親水性側面は、前記吸収部材に隣接しかつそれに対面して位置決めされて、前記上流層の前記疎水性側面が、前記装置の外側部の一部分を形成するようにし、および前記下流層の前記親水性側面は、前記吸収部材に隣接しかつそれに対面して位置決めされて、前記下流層の前記疎水性側面が、前記装置の前記外側部の別の部分を形成するようにしている、吸収部材と；
を含み、
前記装置の前記外側部は、前記流体が前記吸収部材によって吸収される前に、前記外側部に沿って流体を横方向に分配するように適合されていることを特徴とする、装置。
【請求項１７】
請求項１６に記載の装置において、前記上流層が第１の厚さを有し、および前記下流層が第２の厚さを有し、前記第２の厚さは、前記第１の厚さを上回ることを特徴とする、装置。
【請求項１８】
請求項１６に記載の装置において、前記上流層の物質密度が約８０ｇｓｍであることを特徴とする、装置。
【請求項１９】
請求項１６に記載の装置において、前記上流層および前記下流層が、それぞれ、前記吸収部材を越えて延在する周辺部分を含み、前記上流層の前記周辺部分は、前記下流層の前記周辺部分に結合され、かつ前記吸収部材を封入することを特徴とする、装置。
【請求項２０】
請求項１６に記載の装置において、前記下流層の物質密度が約１５０ｇｓｍであることを特徴とする、装置。
【請求項２１】
請求項１６に記載の装置において、前記上流層が、前記組織部位に隣接して位置決めされるように適合されていることを特徴とする、装置。
【請求項２２】
請求項１６に記載の装置において、前記上流層および前記下流層が抗菌材を含むことを特徴とする、装置。
【請求項２３】
請求項２２に記載の装置において、前記抗菌材が、ポリヘキサニドまたはポリヘキサメチレンビグアニド（ＰＨＭＢ）を含むことを特徴とする、装置。
【請求項２４】
請求項１６に記載の装置において、さらに、前記下流層に結合されたシール部材を含むことを特徴とする、装置。
【請求項２５】
請求項１６に記載の装置において、さらに、前記上流層にボンディングされたコラーゲンまたはコラーゲン酸化再生セルロース（ＯＲＣ）を含むことを特徴とする、装置。
【請求項２６】
請求項１６に記載の装置において、さらに、前記上流層に結合されたシール部材を含むことを特徴とする、装置。
【請求項２７】
組織部位から流体を収集するための装置において、
親水性側面および疎水性側面を有する上流層と；
前記組織部位と前記上流層とを覆うように適合されたシール部材であって、前記シール部材は、前記上流層にボンディングされており、前記上流層の前記親水性側面は、前記シール部材に対面して位置決めされている、シール部材と；
前記上流層と前記シール部材との間に位置決めされた吸収部材と
を含むことを特徴とする、装置。
【請求項２８】
組織部位から流体を収集するための装置において、前記装置は：
親水性側面および疎水性側面を有する上流層と；
親水性側面および疎水性側面を有する下流層と；
前記上流層と前記下流層との間に位置決めされた吸収部材であって、前記上流層の前記親水性側面は、前記吸収部材に対面して位置決めされ、および前記下流層の前記親水性側面は、前記吸収部材に対面して位置決めされている、吸収部材と；
前記下流層に隣接して位置決めされたシール部材と；
前記上流層と前記組織部位との間に位置決めされるように適合された非接着性インターフェースと
を含み、
前記シール部材は、第１のホットメルトウェブ層によって前記下流層にボンディングされ、および前記非接着性インターフェースは、第２のホットメルトウェブ層によって前記上流層にボンディングされていることを特徴とする、装置。
【請求項２９】
請求項２８に記載の装置において、前記非接着性インターフェースが親水性発泡体を含むことを特徴とする、装置。
【請求項３０】
流体貯留装置の製造方法において、
親水性側面および疎水性側面を有する第１の層を提供するステップと；
前記第１の層の前記親水性側面に隣接して吸収部材を位置決めするステップと；
親水性側面および疎水性側面を有する第２の層を提供するステップと；
前記吸収部材に隣接して前記第２の層の前記親水性側面を位置決めするステップであって、前記第２の層は、前記第１の層から前記吸収部材の反対側に位置決めされている、ステップと；
前記第１の層と前記第２の層の周辺部分を結合して、前記吸収部材を前記第１の層と前記第２の層との間に囲むステップと
を含むことを特徴とする、方法。
【請求項３１】
請求項３０に記載の方法において、前記第１の層と前記第２の層の周辺部分を結合するステップが、前記第１の層と前記第２の層の前記周辺部分を互いに溶接することを含むことを特徴とする、方法。
【請求項３２】
請求項３０に記載の方法において、前記第１の層と前記第２の層の周辺部分を結合するステップが、前記第１の層と前記第２の層の前記周辺部分を互いにボンディングすることを含むことを特徴とする、方法。
【請求項３３】
請求項３０に記載の方法において、前記第１の層と前記第２の層の周辺部分を結合するステップが、前記第１の層と前記第２の層の前記周辺部分を互いに折り畳むことを含むことを特徴とする、方法。
【請求項３４】
請求項３０に記載の方法において、前記第１の層の物質密度が約８０ｇｓｍであることを特徴とする、方法。
【請求項３５】
請求項３０に記載の方法において、前記第２の層の物質密度が約１５０ｇｓｍであることを特徴とする、方法。